(57)【要約】【課題】  容器内の錠剤の衝撃による破損を防止し、取出しに際して錠剤が容易にこぼれ出ることがなく、しかも取り出さない他の錠剤に触れることがないばかりか、所定数の錠剤の取出しを容易にする。【解決手段】  収納部４と該収納部の周壁上面を閉塞する蓋部５とを備える容器本体２と、該容器本体の内周面へ周壁を嵌合させた嵌合部材３とからなり、該嵌合部材の周壁の一部を屈曲して、所定数の錠剤のみが嵌合可能な錠剤嵌合部１３を形成し、該錠剤嵌合部の上方蓋部部分を錠剤取出用の小蓋部１１に形成し、嵌合部材３の周壁外面に複数の突部１５を形成し、該突部を介して嵌合部材３を容器本体の内周面へ嵌合させ、さらに、嵌合部材３は錠剤の衝撃を緩衝する緩衝材で形成する。【選択図】  図１
2007260128.tif 000002
【特許請求の範囲】
【請求項１】
収納部４と該収納部の周壁７上面を閉塞する蓋部５とを備える容器本体２と、該容器本体の内周面へ周壁を装着させた嵌合部材３とからなり、
該嵌合部材の周壁外面に複数の突部１５を形成し、該突部を介して該嵌合部材周壁を上記容器本体２の内周面へ嵌合させたことを特徴とする錠剤容器。
【請求項２】
上記嵌合部材３の周壁の一部を屈曲して、所定数の錠剤のみが嵌合可能な錠剤嵌合部１３を形成し、
該錠剤嵌合部１３の上方蓋部部分を錠剤取出用の小蓋部１１に形成したことを特徴とする請求項１記載の錠剤容器。
【請求項３】
上記嵌合部材３は矩形状の帯状枠体からなり、該帯状枠体角部の両側を内方へ屈曲することで、該角部をＵ字状の錠剤嵌合部１３に形成したことを特徴とする請求項２記載の錠剤容器。
【請求項４】
上記嵌合部材３は錠剤の衝撃を緩衝する緩衝材からなることを特徴とする請求項１ないし３のいずれかに記載の錠剤容器。
【発明の詳細な説明】
【技術分野】
【０００１】
本発明は錠剤を収納する錠剤容器に関する。
【背景技術】
【０００２】
錠剤を収納する容器として、例えば、矩形状の有底周壁からなる容器本体と、容器本体の周壁上端にヒンジを介して連結された蓋体とからなり、錠剤の取出しは蓋体を開けることで行う錠剤容器が知られている。
【発明の開示】
【発明が解決しようとする課題】
【０００３】
しかし上記のような錠剤容器は、一般に硬質の合成樹脂で成形されているため、携帯用等として使用する場合には、振動等により錠剤が容器内面に衝突し破損することがあった。また、蓋体を開けると容器本体の全面が開口するため、錠剤の大半が容器本体からこぼれ出やすいばかりか、取り出さない他の錠剤にも触れることがあるため、衛生上からも好ましくなかった。
【０００４】
本発明の目的は、容器内の錠剤の衝撃による破損を防止し得る錠剤容器を提供することにある。
【０００５】
本発明の他の目的は、取出しに際して錠剤が容易にこぼれ出ることがなく、しかも取り出さない他の錠剤に触れることがないばかりか、錠剤の衝突音の低減が可能で、かつ、所定数の錠剤の取出しが容易な錠剤容器を提供することにある。
【課題を解決するための手段】
【０００６】
第１の手段として、収納部４と該収納部の周壁７上面を閉塞する蓋部５とを備える容器本体２と、該容器本体の内周面へ周壁を装着させた嵌合部材３とからなり、該嵌合部材の周壁外面に複数の突部１５を形成し、該突部を介して該嵌合部材周壁を上記容器本体２の内周面へ嵌合させたことを特徴とする。
【０００７】
第２の手段として、第１の手段を有すると共に、上記嵌合部材３の周壁の一部を屈曲して、所定数の錠剤のみが嵌合可能な錠剤嵌合部１３を形成し、該錠剤嵌合部１３の上方蓋部部分を錠剤取出用の小蓋部１１に形成したことを特徴とする。
【０００８】
第３の手段として、第２の手段を有すると共に、上記嵌合部材３は矩形状の帯状枠体からなり、該帯状枠体角部の両側を内方へ屈曲することで、該角部をＵ字状の錠剤嵌合部１３に形成したことを特徴とする。
【０００９】
第４の手段として、第１ないし第３のいずれか１つの手段を有すると共に、上記嵌合部材３は錠剤の衝撃を緩衝する緩衝材からなることを特徴とする。
【発明の効果】
【００１０】
第１の手段に係る発明によれば、周壁に形成した突部を介して嵌合部材を容器本体に嵌合させるので、突部間の嵌合部材部分に弾性が付与されることになり、よって、錠剤が嵌合部材に衝突することによって受ける衝撃力が緩和されることになる。
【００１１】
第２の手段に係る発明によれば、容器本体に嵌合した嵌合部材に所定数の錠剤のみが嵌合可能な錠剤嵌合部を形成し、かつ、蓋部に錠剤取出用の小蓋部を形成したので、錠剤取出しに際しては、蓋部を開けることなく、小蓋部を開ければよく、小蓋部の開蓋では容器本体の全面が開口することがないため、錠剤の大半がこぼれ出るといったことが防止される。また、錠剤嵌合部には小蓋部から取出し可能な所定数の錠剤のみが嵌合可能であるから、錠剤取出しに際して、取り出さない他の錠剤に触れることがない。さらに、錠剤嵌合部には必要な所定数の錠剤のみが嵌合されるため、換言すれば自動的に所要数の錠剤が他から分離されるため、錠剤取出しが容易である。
【００１２】
第３の手段に係る発明によれば、帯状枠体の角部を錠剤嵌合部に形成するので、換言すれば彎曲状に成形可能な角部を錠剤嵌合部に形成するので、錠剤嵌合部をＵ字状にすることが容易である。
【００１３】
第４の手段に係る発明によれば、嵌合部材は緩衝材からなるので、錠剤の容器本体に対する衝撃力が大でも、この衝撃力は緩衝材によりほぼ吸収されるため、錠剤の破損が防止される。
【発明を実施するための最良の形態】
【００１４】
以下、図面に示す実施形態を参照しながら本発明を説明する。
【００１５】
１は本発明に係る矩形状の錠剤容器で、容器本体２と嵌合部材３とを主たる構成要素とする。容器本体２は収納部４と蓋部５とで形成されている。収納部４は矩形状の底壁６と、この底壁外周から起立する周壁７とで形成されている。
【００１６】
蓋部５は、収納部周壁７上面に凹凸の係合手段を介して下部を係合させた矩形状の周壁８と、周壁８の上端開口を閉塞する頂壁９とで形成されている。頂壁９の右前部に位置する角部１０は、頂壁の他部分から切り離されて小蓋部１１に形成され、小蓋部は弾性反転自在な３点ヒンジを介して頂壁９の他部分に連結されている。この小蓋部１１は後述するように錠剤嵌合部１３の上方に位置する。
【００１７】
蓋部５は収納部４と別体に成形することも可能であるが、本実施形態では蓋部周壁８の後壁下端中央部と収納部周壁７の後壁上端中央部とを薄肉ヒンジ１２で連結することにより蓋部５と収納部４とを一体に成形する。
【００１８】
嵌合部材３は、角部を彎曲させた矩形状の帯状枠体からなり、容器本体２の周壁７、８内面に嵌合されている。嵌合部材３の１つの角部、すなわち小蓋部１１と対応する位置にある嵌合部材３の角部は、その両側を内方へく字状に屈曲することでＵ字状の錠剤嵌合部１３に形成されている。
【００１９】
帯状枠体を上記のようにく字状に屈曲すると、図３に示すように、Ｕ字状角部の両端から短辺１４、１４が左右に延出する形状となるが、ここでより好ましくは左右の短辺１４、１４をＵ字の両端から直角に延出させることにより、両短辺が同一平面上に位置して、仮想線Ｌで示すように一直線状に並ぶようにする。このようにすることにより短辺１４、１４とこれらに連続する帯状枠体部分とのなす交差角度Ｘを、錠剤Ｔが錠剤嵌合部１３に流入し易い角度にすることができる。
【００２０】
仮に、両短辺１４、１４が一直線状に並ぶことなく互いに接近するように内方へ傾斜していると、これらは錠剤嵌合部１３への漏斗状の入口を形成することになって錠剤の目詰りを招くことになる。反対に両短辺が外方へ傾斜することにより交差角度Ｘが小さくなると、この交差部に錠剤が引っ掛って錠剤嵌合部１３に流入できないことになる。
【００２１】
錠剤嵌合部１３は所定数の錠剤Ｔのみが嵌合可能な面積とする。本実施形態では１つの錠剤のみが嵌合可能な面積とする。
【００２２】
なお、上記では錠剤嵌合部１３は帯状枠体の角部に形成されているが、これに限定されることなく、角部以外の部分を錠剤嵌合部１３とすることも可能である。
【００２３】
一方、帯状枠体からなる嵌合部材３の周壁外面に複数の突部１５を突設し、これら突部を介して嵌合部材３を容器本体２の周壁７、８内面に嵌合させる。突部１５は帯状枠体の弾性を高める観点から、帯状枠体角部の両側および短辺１４、１４とこれらに連続する帯状枠体部分との交差部に設ける。突部１５の形状に特に限定はないが、本実施形態では上下方向への突条で形成する。
【００２４】
上記では嵌合部材３は帯状の枠体からなるが、枠体の底面に底板を設けることも可能である。
【００２５】
嵌合部材３は錠剤の衝突による衝撃力を緩衝する機能を有しており、したがって、材質としては低密度ポリエチレン等の衝撃を吸収可能な緩衝材が好ましい。
【００２６】
なお、容器本体の高さは、錠剤の上下方向の動きを規制し得るように錠剤の厚さに応じて定める。
【００２７】
次に作用について説明する。
【００２８】
錠剤容器１から錠剤を取り出すには、容器本体２を小蓋部１１が下になるように下方に傾斜させればよく、すると所定数の、本実施形態では１つの錠剤Ｔのみが錠剤嵌合部１３に嵌合する。次いで、小蓋部１１を開いて錠剤嵌合部１３の開口を下方に向けると、１つの錠剤が錠剤嵌合部１３から離脱する。
【００２９】
容器本体２内の錠剤の数が少なくなってくると、振動等により錠剤が嵌合部材３に衝突するが、嵌合部材は緩衝材からなり、しかも、突部１５を適宜間隔をおいて配置したことにより嵌合部材３は弾性を付与されているため、錠剤の衝突による破損が防止されるとともに、衝突時に発生する衝撃音も低減される。
【図面の簡単な説明】
【００３０】
【図１】本発明に係る錠剤容器の平面図である。
【図２】図１の側面図である。
【図３】嵌合部材の斜視図である。
【符号の説明】
【００３１】
１  錠剤容器
２  容器本体
３  嵌合部材
４  収納部
５  蓋部
７  収納部の周壁
１１  小蓋部
１３  錠剤収納部
１５  突部
【図１】
2007260128.tif 000003
【図２】
2007260128.tif 000004
【図３】
2007260128.tif 000005